(57)【要約】      （修正有）【課題】緩衝材を必要とせず、かつ、打音を抑制できるストライカ用カバー部材を提供する。【解決手段】ストライカ用カバー部材にカバー部と蓋部４と付勢手段とを設け、このうちカバー部にカバー側閉ストッパ面２０を持つカバー側ストッパ部１２を設け、蓋部４に蓋側閉ストッパ面４６を持つ蓋側ストッパ部を設け、蓋部が閉位置に配置されるとカバー側閉ストッパ面２０と蓋側閉ストッパ面４６とが当接するようにする。そして、蓋部４の回動中心と蓋側閉ストッパ面４６との距離が、回動中心を中心とし蓋部４の表面に接する最大の円の半径の１／４以下となるようにする。回動中心から蓋側閉ストッパ面４６までの距離が短いため、カバー側閉ストッパ面２０と蓋側閉ストッパ面４６とが当接する際の打音を小さくできる。【選択図】図４
2010228714.tif 000002
【特許請求の範囲】
【請求項１】
自動車の後部に配設され、該自動車のバックドア用ストライカを覆うストライカ用カバー部材であって、
貫通孔状をなすカバー開口を持つカバー本体部と、突起状と孔状との一方の形状をなし該カバー本体部に一体化されているカバー側取付部と、カバー側閉ストッパ面を持ち該カバー本体部に一体化されているカバー側ストッパ部と、を持つカバー部と、
貫通孔状をなす蓋開口を持つ蓋本体部と、突起状と孔状との他方の形状をなし該蓋本体部に一体化されるとともに該カバー側取付部に回動可能に取り付けられている蓋側取付部と、蓋側閉ストッパ面を持ち該蓋本体部に一体化されている蓋側ストッパ部と、を持ち、該カバー開口を閉じる閉位置と該カバー開口を開く開位置との間を回動する蓋部と、
該カバー部と該蓋部との間に介在し、該蓋部を該閉位置に向けて付勢する付勢手段と、を持ち、
該カバー側閉ストッパ面と該蓋側閉ストッパ面とは、該蓋部が該閉位置と該開位置との間に配置されているときには離間し、該蓋部が該閉位置に配置されているときには当接し、
該蓋部の回動中心と該蓋側閉ストッパ面との距離は、該回動中心を中心とし該蓋部の表面に接する最大の円の半径の１／４以下であることを特徴とするストライカ用カバー部材。
【請求項２】
自動車の後部に配設され、該自動車のバックドア用ストライカを覆うストライカ用カバー部材であって、
貫通孔状をなすカバー開口を持つカバー本体部と、突起状と孔状との一方の形状をなしカバー側閉ストッパ面およびカバー側摺接面を持ち該カバー本体部に一体化されているカバー側ストッパ部と、を持つカバー部と、
貫通孔状をなす蓋開口を持つ蓋本体部と、突起状と孔状との他方の形状をなし蓋側閉ストッパ面および蓋側摺接面を持ち該蓋本体部に一体化されるとともに該カバー側ストッパ部に回動可能かつスライド可能に取り付けられている蓋側ストッパ部と、を持ち、該カバー開口を閉じる閉位置と該カバー開口を開く開位置との間を回動しつつスライドする蓋部と、
該カバー部と該蓋部との間に介在し、該蓋部を該閉位置に向けて付勢する付勢手段と、を持ち、
該カバー側閉ストッパ面と該蓋側閉ストッパ面とは、該蓋部が該閉位置と該開位置との間に配置されているときには離間し、該蓋部が該閉位置に配置されているときには当接し、
該カバー側摺接面と該蓋側摺接面とは、該蓋部が該開位置と該閉位置との間を回動しつつスライドしているときに摺接し、
該蓋部の回動中心と該蓋側閉ストッパ面との距離は、該回動中心を中心とし該蓋部に接する最大の円の半径の１／４以下であることを特徴とするストライカ用カバー部材。
【請求項３】
前記カバー側ストッパ部は、カバー側開ストッパ面を持ち、
前記蓋側ストッパ部は、蓋側開ストッパ面を持ち、
該カバー側開ストッパ面と該蓋側開ストッパ面とは、前記蓋部が前記閉位置と前記開位置との間に配置されているときには離間し、前記蓋部が前記開位置に配置されているときには当接し、
前記回動中心と該蓋側開ストッパ面との距離は、前記回動中心を中心とし前記蓋部に接する最大の円の半径の１／４以下である請求項１に記載のストライカ用カバー部材。
【請求項４】
前記蓋側ストッパ部は、前記回動中心を含む請求項１〜請求項３の何れか一つに記載のストライカ用カバー部材。
【請求項５】
前記カバー側ストッパ部は、断面円弧の曲面状をなすカバー側摺接面と、該カバー側摺接面の周方向の一端部に連続する前記カバー側閉ストッパ面と、該カバー側摺接面の周方向の他端部に連続する前記カバー側開ストッパ面と、を内壁に持ち、真円を一部切り欠いた断面形状の孔状をなし、
前記蓋側ストッパ部は、断面円弧の曲面状をなす蓋側摺接面と、該蓋側摺接面の周方向の一端部に連続する前記蓋側閉ストッパ面と、該蓋側摺接面の周方向の他端部に連続する前記蓋側開ストッパ面と、を側壁に持ち、真円を一部切り欠いた断面形状の突起状をなし、
前記蓋部が前記閉位置と前記開位置との間を回動するときに、該カバー側摺接面と該蓋側摺接面とは摺接する請求項１、請求項３、請求項４の何れか一つに記載のストライカ用カバー部材。
【請求項６】
前記カバー側ストッパ部は、断面円弧の曲面状をなすカバー側摺接面と、該カバー側摺接面の周方向の一端部に連続する前記カバー側閉ストッパ面と、該カバー側摺接面の周方向の他端部に連続する前記カバー側開ストッパ面と、断面円弧の曲面状をなし該カバー側摺接面と離間し周方向の一端部が該カバー側閉ストッパ面に連続し周方向の他端部が該カバー側開ストッパ面に連続するカバー側一般面と、を内壁に持ち、真円を一部切り欠いた断面形状の孔状をなし、
前記蓋側ストッパ部は、平面状をなす前記蓋側閉ストッパ面と、前記蓋側閉ストッパ面に平行かつ前記蓋側閉ストッパ面と同一平面上に配置される平面状をなし前記蓋側閉ストッパ面と離間している前記蓋側開ストッパ面と、前記蓋側閉ストッパ面に平行かつ前記蓋側閉ストッパ面と同一平面上に配置される平面状をなし前記蓋側閉ストッパ面と前記蓋側開ストッパ面とに連続する蓋側摺接面と、を持つ請求項２、請求項３、請求項４の何れか一つに記載のストライカ用カバー部材。
【発明の詳細な説明】
【技術分野】
【０００１】
本発明は、バックドアを持つ自動車の後部に配設され、バックドア用ストライカを覆うストライカ用カバー部材に関する。
【背景技術】
【０００２】
自動車の一種として、バックドアを持つものがある。バックドアを持つ自動車の後部には、図１３に示すように、バックドアをロックするためのバックドア用ストライカ１９０と、バックドア用ストライカ１９０を覆うストライカ用カバー部材１００（所謂フィニッシュプレートカバー）とが配設されている（例えば、特許文献１参照）。
【０００３】
ストライカ用カバー部材１００は、一般に、カバー部１０１と蓋部１０４と付勢手段（図略）とを持つ。カバー部１００は、貫通孔状をなすカバー開口１１４を持ち、カバー開口１１４をバックドア用ストライカ１９０に対面させるとともに、バックドア用ストライカ１９０の周囲を覆う。蓋部１０４は、カバー部１０１に取り付けられ、図１４に示すように、カバー開口１１４を覆う閉位置（図中実線で示す）と、カバー開口１１４を開く開位置（図中二点鎖線で示す）との間を回動する。一般には、蓋部１０４は開位置と閉位置との間を回動する。付勢手段は、蓋部１０４を閉位置に向けて付勢する。蓋部１０４が開位置に配置されると、バックドア用ストライカ１９０が露出し、バックドア用ストライカ１９０が図略のバックドアに取り付けられているラッチ１９１と係合可能になる。バックドア用ストライカ１９０とラッチ１９１とが係合することで、ラゲッジルームを閉じた状態でバックドアをロックできる。
【０００４】
ところで、一般的なストライカ用カバー部材１００における蓋部１０４の端部１５３は、閉位置においてカバー部１０１に当接する。さらに蓋部１０４は、付勢手段によって閉位置に向けて付勢されている。このため蓋部１０４が開位置から閉位置にまで回動すると、蓋部１０４の端部１５３はカバー部１０１に打ち付けられる。したがってこのとき打音が発生する。
【０００５】
蓋部とカバー部との一方または両方にスポンジ等の緩衝材を取り付け、閉位置における蓋部とカバー部との間に緩衝材を介在させれば、上述した打音を抑制できると考えられる。しかしこの場合には緩衝材が必要であるため、ストライカ用カバー部材の部品点数およびストライカ用カバー部材の製造工数が増大し、ストライカ用カバー部材の製造コストが高くなる問題がある。このため、緩衝材を必要とせず、かつ、打音を抑制できるストライカ用カバー部材が求められている。
【先行技術文献】
【特許文献】
【０００６】
【特許文献１】特開２００８−５７２３１号公報
【発明の概要】
【発明が解決しようとする課題】
【０００７】
本発明は上記事情に鑑みてなされたものであり、緩衝材を必要とせず、かつ、打音を抑制できるストライカ用カバー部材を提供することを目的とする。
【課題を解決するための手段】
【０００８】
上記課題を解決する本発明の第１のストライカ用カバー部材は、自動車の後部に配設され、該自動車のバックドア用ストライカを覆うストライカ用カバー部材であって、
貫通孔状をなすカバー開口を持つカバー本体部と、突起状と孔状との一方の形状をなし該カバー本体部に一体化されているカバー側取付部と、カバー側閉ストッパ面を持ち該カバー本体部に一体化されているカバー側ストッパ部と、を持つカバー部と、
貫通孔状をなす蓋開口を持つ蓋本体部と、突起状と孔状との他方の形状をなし該蓋本体部に一体化されるとともに該カバー側取付部に回動可能に取り付けられている蓋側取付部と、蓋側閉ストッパ面を持ち該蓋本体部に一体化されている蓋側ストッパ部と、を持ち、該カバー開口を閉じる閉位置と該カバー開口を開く開位置との間を回動する蓋部と、
該カバー部と該蓋部との間に介在し、該蓋部を該閉位置に向けて付勢する付勢手段と、を持ち、
該カバー側閉ストッパ面と該蓋側閉ストッパ面とは、該蓋部が該閉位置と該開位置との間に配置されているときには離間し、該蓋部が該閉位置に配置されているときには当接し、
該蓋部の回動中心と該蓋側閉ストッパ面との距離は、該回動中心を中心とし該蓋部の表面に接する最大の円の半径の１／４以下であることを特徴とする。
【０００９】
上記課題を解決する本発明の第２のストライカ用カバー部材は、自動車の後部に配設され、該自動車のバックドア用ストライカを覆うストライカ用カバー部材であって、
貫通孔状をなすカバー開口を持つカバー本体部と、突起状と孔状との一方の形状をなしカバー側閉ストッパ面およびカバー側摺接面を持ち該カバー本体部に一体化されているカバー側ストッパ部と、を持つカバー部と、
貫通孔状をなす蓋開口を持つ蓋本体部と、突起状と孔状との他方の形状をなし蓋側閉ストッパ面および蓋側摺接面を持ち該蓋本体部に一体化されるとともに該カバー側ストッパ部に回動可能かつスライド可能に取り付けられている蓋側ストッパ部と、を持ち、該カバー開口を閉じる閉位置と該カバー開口を開く開位置との間を回動しつつスライドする蓋部と、
該カバー部と該蓋部との間に介在し、該蓋部を該閉位置に向けて付勢する付勢手段と、を持ち、
該カバー側閉ストッパ面と該蓋側閉ストッパ面とは、該蓋部が該閉位置と該開位置との間に配置されているときには離間し、該蓋部が該閉位置に配置されているときには当接し、
該カバー側摺接面と該蓋側摺接面とは、該蓋部が該開位置と該閉位置との間を回動しつつスライドしているときに摺接し、
該蓋部の回動中心と該蓋側閉ストッパ面との距離は、該回動中心を中心とし該蓋部に接する最大の円の半径の１／４以下であることを特徴とする。
【００１０】
本発明の第１のストライカ用カバー部材は、下記の（１）〜（３）の何れかを備えるのが好ましく、（１）〜（３）の複数を備えるのがより好ましい。本発明の第２のストライカ用カバー部材は、下記の（１）、（２）、（４）の何れかを備えるのが好ましく、（１）、（２）、（４）の複数を備えるのがより好ましい。
【００１１】
（１）前記カバー側ストッパ部は、カバー側開ストッパ面を持ち、
前記蓋側ストッパ部は、蓋側開ストッパ面を持ち、
該カバー側開ストッパ面と該蓋側開ストッパ面とは、前記蓋部が前記閉位置と前記開位置との間に配置されているときには離間し、前記蓋部が前記開位置に配置されているときには当接し、
前記回動中心と該蓋側開ストッパ面との距離は、前記回動中心を中心とし前記蓋部に接する最大の円の半径の１／４以下である。
【００１２】
（２）前記蓋側ストッパ部は、前記回動中心を含む。
【００１３】
（３）前記カバー側ストッパ部は、断面円弧の曲面状をなすカバー側摺接面と、該カバー側摺接面の周方向の一端部に連続する前記カバー側閉ストッパ面と、該カバー側摺接面の周方向の他端部に連続する前記カバー側開ストッパ面と、を内壁に持ち、真円を一部切り欠いた断面形状の孔状をなし、
前記蓋側ストッパ部は、断面円弧の曲面状をなす蓋側摺接面と、該蓋側摺接面の周方向の一端部に連続する前記蓋側閉ストッパ面と、該蓋側摺接面の周方向の他端部に連続する前記蓋側開ストッパ面と、を側壁に持ち、真円を一部切り欠いた断面形状の突起状をなし、
前記蓋部が前記閉位置と前記開位置との間を回動するときに、該カバー側摺接面と該蓋側摺接面とは摺接する。
【００１４】
（４）前記カバー側ストッパ部は、断面円弧の曲面状をなすカバー側摺接面と、該カバー側摺接面の周方向の一端部に連続する前記カバー側閉ストッパ面と、該カバー側摺接面の周方向の他端部に連続する前記カバー側開ストッパ面と、断面円弧の曲面状をなし該カバー側摺接面と離間し周方向の一端部が該カバー側閉ストッパ面に連続し周方向の他端部が該カバー側開ストッパ面に連続するカバー側一般面と、を内壁に持ち、真円を一部切り欠いた断面形状の孔状をなし、
前記蓋側ストッパ部は、平面状をなす前記蓋側閉ストッパ面と、前記蓋側閉ストッパ面に平行かつ前記蓋側閉ストッパ面と同一平面上に配置される平面状をなし前記蓋側閉ストッパ面と離間している前記蓋側開ストッパ面と、前記蓋側閉ストッパ面に平行かつ前記蓋側閉ストッパ面と同一平面上に配置される平面状をなし前記蓋側閉ストッパ面と前記蓋側開ストッパ面とに連続する蓋側摺接面と、を持つ。
【発明の効果】
【００１５】
本発明の第１のストライカ用カバー部材および第２のストライカ用カバー部材（以下、単にカバー部材と略す）では、蓋部が閉位置に配置されると、カバー部のカバー側閉ストッパ面と蓋部の蓋側閉ストッパ面とが当接する。蓋部の回動中心（以下、単に回動中心と呼ぶ）と蓋側閉ストッパ面との距離は、回動中心を中心とし蓋部に接する最大の円の半径の１／４以下である。図１に示すように、回動中心Ｏを中心とし蓋部４に接する円は複数（例えば円Ａ〜円Ｃ）存在する。そのなかで最大の円は円Ａである。蓋部４のなかで円Ａに接する部分（以下、単に蓋部の端部５３と呼ぶ）は、蓋部４が開位置から閉位置に回動する際の移動距離が大きい。したがって、端部５３がカバー部に当接すると、大きな打音が生じる。
【００１６】
一方、回動中心Ｏからの距離が、円Ａの半径の１／４以下になる位置（以下、回動中心の近傍位置と略する）に蓋側閉ストッパ面を配置すれば、蓋部４が開位置から閉位置に回動（または回動しつつスライド）する際の蓋側ストッパ面の移動距離が小さい。換言すると、このとき蓋側閉ストッパ面は蓋部の端部５３に比べて回動中心Ｏの近傍に配置される。このため、蓋部４が回動（またはスライドかつ回動）したときに蓋側閉ストッパ面に作用する力は小さい。このため、蓋側閉ストッパ面とカバー側閉ストッパ面と連続とが当接するときに生じる打音もまた小さい。
【００１７】
よって、本発明の第１のカバー部材および第２のカバー部材によると、蓋部が開位置から閉位置に回動（または回動しつつスライド）する際の打音を抑制できる。また、本発明のカバー部材は上述した緩衝材を必要としないため、安価に製造できる。
【００１８】
なお、本発明の第１のカバー部材において、蓋部は開位置と閉位置との間を回動する。本発明の第２のカバー部材において、蓋部は開位置と閉位置との間を回動しつつスライドする。換言すると、本発明の第１のカバー部材において、蓋部の回動中心は固定されている。本発明の第２のカバー部材においては、蓋部の回動中心は移動する。何れの場合にも、蓋側閉ストッパ部を回動中心の近傍位置に配置することで、打音を抑制できる。
【００１９】
上記（１）を備える本発明の第１のカバー部材および第２のカバー部材によると、蓋部が閉位置から開位置に回動（または回動しつつスライド）する際の打音を抑制できる。
【００２０】
上記（２）を備える本発明の第１のカバー部材および第２のカバー部材によると、蓋側閉ストッパ面（または蓋側閉ストッパ面および蓋側開ストッパ面）を回動中心とほぼ一致した位置に配置できる。このため、上記（２）を備える本発明の第１のカバー部材および第２のカバー部材によると、打音をさらに抑制できる。
【００２１】
上記（３）を備える本発明の第１のカバー部材によると、蓋部が閉位置と開位置との間を回動するときに、カバー側摺接面と蓋側摺接面とを摺接させることで、蓋部の回動速度を遅くし、蓋側閉ストッパ面（または、蓋側閉ストッパ面および蓋側開ストッパ面）に作用する力をさらに小さくできる。このため、上記（３）を備える本発明の第１のカバー部材によると、打音をさら抑制できる。
【００２２】
上記（４）を備える本発明の第２のカバー部材によると、蓋側ストッパ部を簡単な構造にできる。
【図面の簡単な説明】
【００２３】
【図１】本発明のカバー部材における蓋部と、蓋部の回動中心Ｏを中心とし蓋部に接する円との関係を模式的に表す説明図である。
【図２】実施例１のカバー部材を模式的に表す分解斜視図である。
【図３】実施例１のカバー部材の蓋部が閉位置に配置されている様子を模式的に表す説明図である。
【図４】図３の要部拡大図である。
【図５】実施例１のカバー部材の蓋部が開位置に配置されている様子を模式的に表す説明図である。
【図６】図５の要部拡大図である。
【図７】実施例２のカバー部材におけるカバー側ストッパ部、カバー側取付部、蓋側取付部、および、蓋側ストッパ部を模式的に表す要部拡大図である。
【図８】実施例２のカバー部材におけるカバー側ストッパ部、カバー側取付部、蓋側取付部、および、蓋側ストッパ部を模式的に表す要部拡大図である。
【図９】実施例３のカバー部材におけるカバー側ストッパ部、蓋側ストッパ部、および、付勢手段を模式的に表す要部拡大図である。
【図１０】実施例３のカバー部材におけるカバー側ストッパ部、蓋側ストッパ部、および、付勢手段を模式的に表す要部拡大図である。
【図１１】実施例３のカバー部材におけるカバー側ストッパ部、蓋側ストッパ部、および、付勢手段を模式的に表す要部拡大図である。
【図１２】実施例４のカバー部材におけるカバー側取付部、蓋側取付部、付勢手段、カバー側ストッパ部および蓋側ストッパ部を模式的に表す要部拡大図である。
【図１３】従来のカバー部材を模式的に表す斜視図である。
【図１４】従来のカバー部材の動作を模式的に説明する説明図である。
【発明を実施するための形態】
【００２４】
以下、本発明のカバー部材を具体的に説明する。
【００２５】
（実施例１）
実施例１のカバー部材は、本発明の第１のカバー部材である。実施例１のカバー部材を模式的に表す分解斜視図を図２に示す。実施例１のカバー部材の蓋部が閉位置に配置されている様子を模式的に表す説明図を図３に示す。図３の要部拡大図を図４に示す。実施例１のカバー部材の蓋部が開位置に配置されている様子を模式的に表す説明図を図５に示す。図５の要部拡大図を図６に示す。以下、実施例１において、上、下、左、右、前、後とは、図１に示す上、下、左、右、前、後を指す。なお、実施例１および後述する実施例２〜実施例４において、上側は、自動車の上側である。下側は、自動車の下側である。前側は自動車の進行方向前側である。後側は自動車の進行方向後側である。
【００２６】
実施例１のカバー部材は、カバー部１と、蓋部４と、２つの付勢手段８とを持つ。
【００２７】
図２に示すように、カバー部１は、カバー本体部１０と、カバー箱部１１と、２つのカバー側ストッパ部１２と、４つのカバー側取付部１３と、を持つ。カバー本体部１０は長尺板状をなす。カバー本体部１０の略中央部には、貫通孔状をなすカバー開口１４が形成されている。カバー箱部１１は、底壁１５と、左壁１６と、右壁１７と、前壁１８を持つ。４つのカバー側取付部１３は、カバー箱部１１に一体化されている。
【００２８】
左壁１６は、底壁１５の左端部に一体化され上方に延びる立壁状をなす。右壁１７は、底壁１５の右端部に一体化され上方に延びる立壁状をなす。前壁１８は、底壁１５の前端部に一体化され上方に延びる立壁状をなす。底壁１５の後側部分には、貫通孔状をなす副カバー開口１９が形成されている。図３に示すように、カバー箱部１１は、カバー本体部１０の左右方向の略中央部分かつ下側に取り付けられている。カバー開口１４と副カバー開口１９とは対面している。図２に示すように、４つのカバー側取付部１３は、略同形の鉤状をなし、底壁１５の後端部（副カバー開口１９よりもさらに後側）に一体化されている。各カバー側取付部１３は、左右方向に配列し、互いに離間している。
【００２９】
一方のカバー側ストッパ部１２は、カバー箱部１１の左壁１６に形成されている。他方のカバー側ストッパ部１２は、カバー箱部１１の右壁１７に形成されている。図４に示すように、カバー側ストッパ部１２は、カバー側閉ストッパ面２０と、カバー側開ストッパ面２２と、カバー側一般面２３とを持つ。詳しくは、カバー側ストッパ部１２は、真円を一部切り欠いた断面形状（詳しくは断面扇形）の貫通孔状をなす。カバー側閉ストッパ面２０、カバー側開ストッパ面２２、および、カバー側一般面２３は、カバー側閉ストッパ部の内壁（孔壁）を構成している。カバー側閉ストッパ面２０は、平面状をなし、前下方から後上方に向けて延びる。カバー側開ストッパ面２２は、平面状をなし、カバー側閉ストッパ面２０の後端部（上端部）に連続し、カバー側閉ストッパ面２０のさらに後上方に向けて延びる。カバー側閉ストッパ面２０とカバー側開ストッパ面２２とは互いに交差する方向に延びている。カバー側一般面２３は、断面円弧の曲面状をなす。カバー側一般面２３の周方向の一端部はカバー側閉ストッパ面２０の前端部（下端部）に連続している。カバー側一般面２３の周方向の他端部は、カバー側開ストッパ面２２の後端部（上端部）に連続している。カバー側閉ストッパ面２０およびカバー側開ストッパ面２２は断面直線状をなし、カバー側一般面２３は断面円弧状をなす。したがって、カバー側ストッパ部１２は断面扇形をなす。
【００３０】
蓋部４は、蓋本体部４０と、２つの脚部４１と、２つの蓋側ストッパ部４２と、蓋側取付部４３とを持つ。
【００３１】
蓋本体部４０は板状をなす。蓋本体部４０の略中央部には、貫通孔状をなす蓋開口４４が形成されている。
【００３２】
一方の脚部４１は、蓋本体部４０の左後端部に一体化され、蓋本体部４０の背面側（図２に示す下側）に向けて延びている。他方の脚部４１は、蓋本体部４０の右後端部に一体化され、左側脚部４１と左右対称な形状をなす。蓋本体部４０の左後端部に一体化されている脚部４１の右面と、蓋本体部４０の右後端部に一体化されている脚部４１の左面とには、それぞれ、行き止まり穴状をなす軸保持孔４５が形成されている。
【００３３】
一方の蓋側ストッパ部４２は、蓋本体部４０の左後端部に一体化されている脚部４１の左面に一体化され、左方に突出する突起状（直方体状）をなす。この蓋側ストッパ部４２は同じ脚部４１に形成されている軸保持孔４５に背向している。
【００３４】
他方の蓋側ストッパ部４２は、蓋本体部４０の右後端部に一体化されている脚部４１の右面に一体化され、右方に突出する突起状（直方体状）をなす。この蓋側ストッパ部４２は、同じ脚部４１に形成されている軸保持孔４５に背向している。また、２つの蓋側ストッパ部４２は左右対称形状をなす。
【００３５】
図４に示すように、蓋側ストッパ部４２は、蓋側閉ストッパ面４６と、蓋側開ストッパ面４７と、第１蓋側一般面４８と、第２蓋側一般面４９と、第３蓋側一般面５０とを持つ。詳しくは、蓋側ストッパ部４２は突起状をなす。蓋側閉ストッパ面４６、蓋側開ストッパ面４７、第１蓋側一般面４８、第２蓋側一般面４９、および、第３蓋側一般面５０は、カバー側閉ストッパ部の側壁（周壁）を構成している。蓋側閉ストッパ面４６は、平面状をなす。蓋側開ストッパ面４７は、蓋側閉ストッパ面４６と平行に延びる平面状をなし、蓋側閉ストッパ面４６に連続している。第１蓋側一般面４８は、蓋側開ストッパ面４７および蓋側閉ストッパ面４６と平行に延びる平面状をなし、蓋側開ストッパ面４７および蓋側閉ストッパ面４６と対向している。第２蓋側一般面４９は、蓋側開ストッパ面４７、蓋側閉ストッパ面４６、および第１蓋側一般面４８と直交する方向に延びる平面状をなし、蓋側閉ストッパ面４６と第１蓋側一般面４８とを連結している。第３蓋側一般面５０は、第１蓋側一般面４８と平行に延びる平面状をなし、蓋側開ストッパ面４７と第１蓋側一般面４８とを連結している。したがって、蓋側ストッパ部４２は、断面長方形（矩形）状をなす。
【００３６】
蓋側取付部４３は、左右方向に延びる軸状をなす。蓋側取付部４３の軸方向（長手方向）の一端部は、一方の軸保持孔４５に固着されている。蓋側取付部４３の軸方向の他端部は、他方の軸保持孔４５に固着されている。したがって、蓋側取付部４３は蓋本体部４０に一体化されている。また、蓋側取付部４３は、カバー箱部１１のカバー側取付部１３に枢支されている。したがって、蓋部４はカバー側取付部１３によってカバー部１に回動可能に取り付けられる。また、蓋部４はカバー側取付部１３を中心として回動する。蓋部４をカバー部１に取り付けると、蓋部４の２つの脚部４１は、カバー箱部１１の後側内部に入り込む。また、蓋部４はカバー開口１４の奥側（下側）に配置される。左側に位置する蓋側ストッパ部４２は左側に位置するカバー側ストッパ部１２に挿入され、右側に位置する蓋側ストッパ部４２は右側に位置するカバー側ストッパ部１２に挿入される。
【００３７】
蓋側取付部４３の一端部は一方の軸保持孔４５に固着され、蓋側取付部４３の他端部は他方の軸保持孔４５に固着され、同じ脚部４１に形成されている蓋側ストッパ部４２と軸保持孔４５とは背向している。したがって、実施例１のカバー部材における蓋側ストッパ部４２は、蓋部４の回動中心を含む。
【００３８】
２つの付勢手段８は、つる巻きバネ状をなす。一方の付勢手段８は蓋側取付部４３の左側部分に外挿されている。他方の付勢手段８は蓋側取付部４３の右側部分に外挿されている。各付勢手段８の一端部は蓋部４に固定されて、他端部はカバー箱部１１に固定されている。各付勢手段８は、圧縮状態でカバー箱部１１と蓋部４との間に介在し、蓋部４を図３、図４に示す閉位置に付勢している。
【００３９】
実施例１のカバー部材を自動車の後部に配設すると、図３に示すように、自動車のバックドア用ストライカ９０（以下、単にストライカ９０と呼ぶ）がカバー箱部１１の副カバー開口１９に挿通される。したがって、カバー箱部１１およびカバー本体部１０は、自動車の車体後部におけるストライカ９０の周辺部分を覆う。蓋部４は、ストライカ９０の手前側（上側）に配置される。蓋部４が閉位置に配置されているときには、実施例１のカバー部材における蓋部４は、ストライカ９０のほぼ全体を覆う。なお、このとき、ストライカ９０の手前側端部（上側端部）は、蓋開口４４の手前側（上側）に露出する。
【００４０】
図３に示すように、蓋部４は、閉位置に配置されているときに、カバー開口１４を覆う。このとき図４に示すように蓋側閉ストッパ面４６がカバー側閉ストッパ面２０と当接する。蓋部４は付勢手段８によって図３、図４中時計回りに付勢されている。このため、蓋部４が閉位置に配置されているときには蓋側閉ストッパ面４６とカバー側閉ストッパ面２０とが係合して、蓋部４が回動を停止する。なお、図３に示すように、このとき蓋部４の端部５３は、カバー部１（詳しくはカバー本体部１０）と離間している。
【００４１】
蓋部４が閉位置に配置されているときに図略のバックドアを閉じると、バックドアに取り付けられているラッチ９１が、蓋部４を奥側（下側）に向けて押圧する。すると、蓋部４は閉位置から開位置に向けて図３〜図６中反時計回りに回動する。そして、図５に示すように、ストライカ９０の手前側部分（上側部分）は、蓋開口４４の手前側（上側）に大きく露出する。したがって、ラッチ９１はストライカ９０と係合可能になり、バックドアがロックされる。
【００４２】
図６に示すように、蓋部４が開位置に配置されると、蓋側開ストッパ面４７がカバー側開ストッパ面２２と当接する。このため、蓋部４が開位置に配置されているときには蓋側開ストッパ面４７とカバー側開ストッパ面２２とが係合して、蓋部４が回動を停止する。なお、図５に示すように、このとき蓋部４の端部５３は、カバー部１（詳しくはカバー箱部１１）と離間している。
【００４３】
ストライカ９０とラッチ９１との係合を解除して（バックドアのロックを解除して）バックドアを開くと、ラッチ９１による蓋部４への押圧が解除される。このため蓋部４は、付勢手段８の付勢力によって図３〜図６中時計回りに回動する。したがって、蓋部４は開位置から閉位置に向けて回動する。蓋部４が閉位置に配置されると、蓋側閉ストッパ面４６とカバー側閉ストッパ面２０とが係合して、蓋部４が回動を停止する（図３、図４）。
【００４４】
上述したように、蓋側ストッパ部４２は、蓋部４の回動中心を含むため回動中心の近傍に配置されている。このため、蓋側閉ストッパ面４６および蓋側開ストッパ面４７は、何れも回動中心の近傍位置に配置されている。このため、蓋部４が開位置から閉位置に回動する際に蓋側閉ストッパ面４６に作用する力は小さい。このため、蓋部４が閉位置にまで回動した蓋側閉ストッパ面４６とカバー側閉ストッパ面２０とが当接して生じる打音は小さい。同様に、蓋部４が閉位置から開位置に回動する際に蓋側開ストッパ面４７に作用する力は小さい。このため、蓋部４が開位置にまで回動した蓋側開ストッパ面４７とカバー側開ストッパ面２２とが当接して生じる打音は小さい。よって、実施例１のカバー部材によると、打音を抑制できる。
【００４５】
なお、蓋部４が開位置に配置されているとき、および、蓋部４が閉位置に配置されているときには、蓋部４の端部５３とカバー部１と離間している。このため、実施例１のカバー部材によると、蓋部４の端部５３がカバー部１に当接することはない。このことによっても、実施例１のカバー部材は打音を抑制できる。
【００４６】
また、実施例１のカバー部材における蓋部４とカバー部１とは、カバー側閉ストッパ面２０と蓋側閉ストッパ面４６とのみが当接することで開位置から閉位置に向けた回動を停止する。また、カバー側閉ストッパ面２０と蓋側閉ストッパ面４６とのみが当接することで開位置から閉位置に向けた回動を停止する。このため、実施例１のカバー部材は、緩衝材を要さず、打音を抑制できる。
【００４７】
なお、実施例１のカバー部材においては、蓋部４の蓋側閉ストッパ面４６と蓋側開ストッパ面４７とは互いに平行でありかつ連続し、同一の平面上に配置されている。しかし、本発明のカバー部材においては、蓋側閉ストッパ面４６と蓋側開ストッパ面４７とは互いに平行でなくても良いし、同一の平面上に配置されなくても良い。蓋側閉ストッパ面４６と蓋側開ストッパ面４７とがなす角度や、蓋側閉ストッパ面４６と蓋側開ストッパ面４７との相対位置は、開位置から閉位置に至るまで（または閉位置から開位置に至るまで）の蓋部４の回動角度や、回動中心に対する蓋側ストッパ部４２の位置等に応じて適宜設定できる。
【００４８】
（実施例２）
実施例２のカバー部材は、本発明の第１のカバー部材である。実施例２のカバー部材は、蓋側ストッパ部の形状以外は実施例１のカバー部材と同じものである。実施例２のカバー部材におけるカバー側ストッパ部、カバー側取付部、蓋側取付部、および、蓋側ストッパ部を模式的に表す要部拡大図を図７〜図８に示す。なお、図７は蓋部が閉位置に配置されているときのカバー側ストッパ部、カバー側取付部、蓋側取付部、および、蓋側ストッパ部を模式的に表し、図８は蓋部が開位置に配置されているときのカバー側ストッパ部、カバー側取付部、蓋側取付部、および、蓋側ストッパ部を模式的に表す。
【００４９】
実施例２のカバー部材におけるカバー部１は、実施例１のカバー部材におけるカバー部１と同形状である。以下、実施例２において、実施例１のカバー部材におけるカバー側一般面２３をカバー側摺接面２９と呼ぶ。
【００５０】
実施例２のカバー部材における蓋側ストッパ部４２は、蓋側閉ストッパ面４６と、蓋側開ストッパ面４７と、蓋側摺接面５６とを持つ。蓋側閉ストッパ面４６と蓋側開ストッパ面４７とは、互いに平行であり、かつ、同一平面上に配置されている。蓋側摺接面５６は断面円弧の曲面状をなす。蓋側摺接面５６の一端部は蓋側閉ストッパ面４６に連続し、蓋側摺接面５６の他端部は蓋側開ストッパ面４７に連続している。蓋側閉ストッパ面４６および蓋側開ストッパ面４７は断面直線状をなし、蓋側摺接面５６は断面円弧状をなす。したがって、蓋側ストッパ部４２の断面は、真円を半径に平行な直線で切断した形状（真円を一部切り欠いた断面形状、断面略扇状）をなす。
【００５１】
実施例２のカバー部材における蓋部４は、図７に示す閉位置と、図８に示す開位置と、の間を回動する。蓋部４を開位置から閉位置に向けて回動させると、蓋側摺接面５６がカバー側摺接面２９に摺接する。蓋側閉ストッパ面４６がカバー側閉ストッパ面２０に当接すると、蓋部４は閉位置に向けた回動を停止する。蓋部４を閉位置から開位置に向けて回動させると、蓋側摺接面５６がカバー側摺接面２９に摺接する。蓋側開ストッパ面４７がカバー側開ストッパ面２２に当接すると、蓋部４は回動を停止する。
【００５２】
実施例２のカバー部材における蓋側ストッパ部４２は、実施例１のカバー部材における蓋側ストッパ部４２と同様に、蓋部４の回動中心を含む。したがって、実施例２のカバー部材における蓋側閉ストッパ面４６および蓋側開ストッパ面４７は、何れも回動中心の近傍位置に配置されている。このため、蓋部４が開位置から閉位置に回動する際に蓋側閉ストッパ面４６に作用する力、および、蓋部４が閉位置から開位置に回動する際に蓋側開ストッパ面４７に作用する力は小さい。よって、実施例２のカバー部材は打音を抑制できる。
【００５３】
また、蓋部４が開位置から閉位置にまで回動する際、および、蓋部４が閉位置から開位置にまで回動する際には、蓋側摺接面５６がカバー側摺接面２９に摺接する。このことによっても、蓋部４が開位置から閉位置に回動する際に蓋側閉ストッパ面４６に作用する力、および、蓋部４が閉位置から開位置に回動する際に蓋側開ストッパ面４７に作用する力はさらに小さくなる。よって、実施例２のカバー部材は打音を抑制できる。
【００５４】
（実施例３）
実施例３のカバー部材は、本発明の第２のカバー部材である。実施例３のカバー部材は、蓋側取付部およびカバー側取付部を持たない。また、実施例３のカバー部材はカバー側ストッパ部の形状、蓋側ストッパ部の形状および付勢手段の形状が実施例１のカバー部材と異なる。これ以外は、実施例３のカバー部材は、実施例１のカバー部材と同じものである。実施例３のカバー部材におけるカバー側ストッパ部、蓋側ストッパ部、および、付勢手段を模式的に表す要部拡大図を図９〜図１１に示す。なお、図９は蓋部が閉位置に配置されているときのカバー側ストッパ部、蓋側ストッパ部、および、付勢手段を模式的に表し、図１０は蓋部が開位置に配置されているときのカバー側ストッパ部、蓋側ストッパ部、および、付勢手段を模式的に表す。図１１は、閉位置から開位置に向けた蓋部の移動軌跡を模式的に表す。
【００５５】
実施例３のカバー部材におけるカバー側ストッパ部１２は、カバー側閉ストッパ面２０とカバー側開ストッパ面２２とが直接連続せず、断面円弧の曲面状をなす面（カバー側摺接面２９）を介して隣接していること以外は実施例１のカバー部材におけるカバー側ストッパ部１２と同じ形状である。詳しくは、実施例３のカバー部材におけるカバー側ストッパ部１２は、カバー側摺接面２９に加えて、実施例１のカバー部材におけるカバー側ストッパ部１２と同様のカバー側閉ストッパ面２０と、カバー側開ストッパ面２２と、カバー側一般面２３とを持つ。
【００５６】
実施例３のカバー部材におけるカバー側摺接面２９は、カバー側閉ストッパ面２０の周方向の一端部（カバー側閉ストッパ面２０におけるカバー側開ストッパ面２２側の端部）と、カバー側開ストッパ面２２の周方向の一端部（カバー側開ストッパ面２２におけるカバー側閉ストッパ面２０側の端部）とに連続する。また、カバー側摺接面２９は、カバー側一般面２３と離間している。したがって、実施例３のカバー部材におけるカバー側ストッパ部１２は、真円を一部切り欠いた断面形状の孔状をなす。
【００５７】
図９に示すように、蓋側ストッパ部４２は、蓋側閉ストッパ面４６と、蓋側開ストッパ面４７と、蓋側摺接面５６と、第１蓋側一般面４８と、第２蓋側一般面４９と、第３蓋側一般面５０とを持つ。詳しくは、蓋側ストッパ部４２は突起状をなす。より詳しくは、蓋側ストッパ部４２は、長方形の長手方向の両端部が面取りされた断面形状をなす。
【００５８】
蓋側閉ストッパ面４６は平面状をなす。蓋側摺接面５６は、蓋側閉ストッパ面４６に連続する平面状をなす。蓋側開ストッパ面４７は、蓋側摺接面５６に連続する平面状をなす。蓋部４を閉位置に配置したときに、蓋側ストッパ部４２の蓋側開ストッパ面４７は、蓋側閉ストッパ面４６の後側かつ上側に配置されている。蓋側閉ストッパ面４６と蓋側摺接面５６と蓋側開ストッパ面４７とは互いに平行であり、かつ、同一平面上に配置されている。第１蓋側一般面４８は、蓋側閉ストッパ面４６、蓋側摺接面５６および蓋側開ストッパ面４７に対して平行な平面状をなし、蓋側閉ストッパ面４６、蓋側摺接面５６および蓋側開ストッパ面４７と対向している。第２蓋側一般面４９は、断面略円弧の凸面状をなす。また、第２蓋側一般面４９は、第１蓋側一般面４８の一端部（蓋側閉ストッパ面４６に近い側の端部）と、蓋側閉ストッパ面４６の一端部（蓋側開ストッパ面４７とは逆側の端部）とに連続する。第３蓋側一般面５０は、断面略円弧の凸面状をなす。また、第３蓋側一般面５０は、第１蓋側一般面４８の他端部（蓋側開ストッパ面４７に近い側の端部）と、蓋側開ストッパ面４７の一端部（蓋側閉ストッパ面４６とは逆側の端部）とに連続する。第２蓋側一般面４９と第３蓋側一般面５０とは、互いに背向している。実施例３のカバー部材において、蓋側開ストッパ面４７、蓋側摺接面５６、蓋側閉ストッパ面４６、第２蓋側一般面４９、第３蓋側一般面５０及び第１蓋側一般面４８は、蓋側ストッパ部４２の側壁（周壁）を構成している。
【００５９】
実施例３のカバー部材において、蓋側ストッパ部４２はカバー側ストッパ部１２に挿入されている。カバー側ストッパ部１２の内径は、蓋側ストッパ部４２の外径よりも大径である。このため、蓋側ストッパ部４２は、挿入状態において、カバー側ストッパ部１２に対して回動可能であり、かつ、カバー側ストッパ部１２の内部をスライド可能である。また、実施例３のカバー部材はカバー側取付部および蓋側取付部を持たない。このため、実施例３のカバー部材における蓋部４は、蓋側ストッパ部４２がカバー側ストッパ部１２に挿入されることで、カバー部１に取り付けられている。換言すると、実施例３のカバー部材における蓋側ストッパ部４２は蓋側取付部を兼ね、かつ、カバー側ストッパ部１２はカバー側取付部を兼ねている。
【００６０】
図９および図１０に示すように、付勢手段８は、長手方向に向けて伸縮するつる巻きバネ状をなす。付勢手段８の長手方向の一端部は、蓋側ストッパ部４２における蓋側閉ストッパ面４６側の端部に固定されている。付勢手段８の他端部は、カバー部１におけるカバー側ストッパ部１２の周縁部（より詳しくは、カバー側ストッパ部１２の周縁部のなかでカバー側閉ストッパ面２０側の部分）に固定されている。蓋部４が開位置に配置されると、付勢手段８は伸長して付勢力を蓄える。そして、蓄えた付勢力によって、付勢手段８は蓋部４を閉位置に向けて付勢する。
【００６１】
実施例３のカバー部材における蓋部４は、図９に示す閉位置と、図１０に示す開位置と、の間を回動しつつスライドする。詳しくは、閉位置において、蓋側ストッパ部４２の蓋側閉ストッパ面４６はカバー側ストッパ部１２のカバー側閉ストッパ面２０に当接している。蓋側開ストッパ面４７はカバー側開ストッパ面２２と離間している。蓋側摺接面５６はカバー側摺接面２９と離間している。開位置において、蓋部４の蓋側開ストッパ面４７はカバー部１のカバー側開ストッパ面２２に当接している。蓋側閉ストッパ面４６はカバー側閉ストッパ面２０と離間している。蓋側摺接面５６はカバー側摺接面２９と離間している。
【００６２】
図１１に示すように、蓋部４が開位置と閉位置との間に配置されているときには、蓋側ストッパ部４２の蓋側閉ストッパ面４６はカバー側ストッパ部１２のカバー側閉ストッパ面２０と離間している。蓋側開ストッパ面４７はカバー側開ストッパ面２２と離間している。蓋側摺接面５６はカバー側摺接面２９と当接している。蓋側摺接面５６は、蓋側閉ストッパ面４６の蓋側開ストッパ面４７に向けた延長線、および、蓋側開ストッパ面４７の蓋側閉ストッパ面４６に向けた延長線よりも、外側（蓋側ストッパ部４２の外周側）に配置されている。このため、蓋部４が閉位置と開位置との間に配置されているとき（すなわち、蓋側摺接面５６がカバー側摺接面２９に摺接するとき）と、蓋部４が閉位置または開位置に配置されているときとでは、蓋部４の回動中心が位置ズレする。このため、実施例３のカバー部材における蓋部４は、蓋側摺接面５６をカバー側摺接面２９に摺接させ、僅かにスライドしつつ開位置と閉位置との間を回動する。
【００６３】
実施例３のカバー部材は、実施例１および実施例２のカバー部材と同様に、蓋側開ストッパ面４７および蓋側閉ストッパ面４６が、蓋部４の回動中心（すなわち、実施例３のカバー部材においては蓋側ストッパ部４２の中央部）の近傍位置に配置されている。このため、実施例３のカバー部材もまた、打音を抑制できる。
【００６４】
また、実施例３のカバー部材は、カバー側取付部および蓋側取付部を必要としないため、実施例１のカバー部材及び実施例２のカバー部材よりも更に安価に製造できる利点もある。
【００６５】
（実施例４）
実施例４のカバー部材は、本発明の第１のカバー部材である。実施例４のカバー部材は、カバー側取付部の位置、蓋側取付部の位置、付勢手段の位置、カバー側ストッパ部の形状および位置、および、蓋側ストッパ部の形状および位置以外は実施例１のカバー部材と同じである。実施例４のカバー部材におけるカバー側取付部、蓋側取付部、付勢手段、カバー側ストッパ部および蓋側ストッパ部を模式的に表す要部拡大図を図１２に示す。
【００６６】
実施例４のカバー部材におけるカバー側取付部１３は、断面真円の孔状をなし、カバー箱部の左壁と右壁とにそれぞれ貫通形成されている。蓋側取付部４３は、断面正円の突起状（円柱状）をなし、蓋部４の２つの脚部４１にそれぞれ一体化されている。蓋部４をカバー部に取り付けると、それぞれ対応する蓋側取付部４３がカバー側取付部１３に挿入され、蓋部４はカバー部に枢支される。したがって、実施例４のカバー部材における蓋部４は図１２中実線で示す閉位置と図１２中二点鎖線で示す開位置との間を回動する。蓋側取付部４３には、つるまきばね状の付勢手段８が挿通されている。付勢手段８の一端部は蓋部４に固定され、付勢手段８の他端部はカバー部に固定されている。付勢手段８は蓋部４を閉位置に向けて付勢する。
【００６７】
カバー側ストッパ部１２は、カバー箱部の左壁と右壁とにそれぞれ形成され、断面略扇面の孔状をなす。詳しくは、カバー側ストッパ部１２は、カバー側第１一般面３０と、カバー側第２一般面３１と、カバー側閉ストッパ面２０と、カバー側開ストッパ面２２とを持つ。カバー側第１一般面３０は、断面円弧の曲面状をなす。カバー側第２一般面３１は、断面円弧の曲面状をなす。カバー側第２一般面３１は、カバー側第１一般面３０に対向し、かつ、カバー側第１一般面３０と離間している。カバー側閉ストッパ面２０は、カバー側第１一般面３０の周方向の一端部及びカバー側第２一般面３１の周方向の一端部に連続する平面状をなす。カバー側開ストッパ面２２は、カバー側第１一般面３０の周方向の他端部及びカバー側第２一般面３１の周方向の他端部に連続し、カバー側第１一般面３０と交叉する方向に延びる平面状をなす。なお、カバー側閉ストッパ面２０は、カバー側開ストッパ面２２の手前側（後側かつ上側）に配置されている。
【００６８】
蓋側ストッパ部４２は、蓋本体部４０の左端面と右端面とにそれぞれ形成され、断面略矩形の突起状（直方体状）をなす。蓋側ストッパ部４２は、蓋側第１一般面５１と、蓋側第２一般面５２と、蓋側閉ストッパ面４６と、蓋側開ストッパ面４７とを持つ。蓋側第１一般面５１と蓋側第２一般面５２とは互いに平行な平面状をなし、互いに対向しつつ離間している。蓋側閉ストッパ面４６と蓋側開ストッパ面４７とは互いに平行な平面状をなし、互いに対向しつつ離間している。蓋側閉ストッパ面４６は、蓋側第１一般面５１の一端部と蓋側第２一般面５２の一端部とに連続している。蓋側開ストッパ面４７は、蓋側第１一般面５１の他端部と蓋側第２一般面５２の他端部とに連続している。実施例４のカバー部材において、蓋部４の回動中心と蓋側閉ストッパ面４６（詳しくは、蓋側閉ストッパ面４６のなかで蓋側第１一般面５１に隣接する部分、蓋側閉ストッパ面４６のなかで回動中心から最も離間している部分）との距離は、回動中心を中心とし蓋部４の表面に接する最大の円の半径の１／４である。また、蓋部４の回動中心と蓋側開ストッパ面４７（詳しくは、蓋側開ストッパ面４７のなかで蓋側第１一般面５１に隣接する部分、蓋側開ストッパ面４７のなかで回動中心から最も離間している部分）との距離は、回動中心を中心とし蓋部４の表面に接する最大の円の半径の１／４である。
【００６９】
蓋側ストッパ部４２は、カバー側ストッパ部１２に挿入されている。カバー側ストッパ部１２に挿入された蓋側ストッパ部４２は、蓋側第１一般面５１をカバー側第１一般面３０側に向け、蓋側第２一般面５２をカバー側第２一般面３１側に向け、蓋側閉ストッパ面４６をカバー側閉ストッパ面２０側に向け、蓋側開ストッパ面４７をカバー側開ストッパ面２２側に向けている。
【００７０】
蓋部４が閉位置から開位置に回動するとき、および蓋部４が開位置から閉位置に回動するときには、蓋側ストッパ部４２はカバー側ストッパ部１２の内部をスライドする。蓋部４が閉位置に配置されると、蓋側閉ストッパ面４６はカバー側閉ストッパ面２０に当接する。蓋部４が開位置に配置されると、蓋側開ストッパ面４７はカバー側開ストッパ面２２に当接する。
【００７１】
実施例４のカバー部材における蓋側閉ストッパ面４６および蓋側開ストッパ面４７は、何れも回動中心の近傍位置に配置されている。このため、蓋部４が開位置から閉位置に回動する際に蓋側閉ストッパ面４６に作用する力、および、蓋部４が閉位置から開位置に回動する際に蓋側開ストッパ面４７に作用する力は小さい。よって、実施例４のカバー部材もまた打音を抑制できる。
【００７２】
なお、実施例１〜実施例４のカバー部材は、カバー側開ストッパ面２２および蓋側開ストッパ面４７を持つが、本発明の第１のカバー部材および第２のカバー部材は、カバー側開ストッパ面２２および蓋側開ストッパ面４７を持たなくても良い。すなわち、本発明の第１のカバー部材および第２のカバー部材は、少なくともカバー側閉ストッパ面２０および蓋側閉ストッパ面４６を持つことで、付勢手段８に起因する打音（蓋部４が閉位置に配置されたときの打音）を抑制できる。
【００７３】
実施例１〜実施例４のカバー部材におけるカバー側閉ストッパ面２０、カバー側開ストッパ面２２、蓋側閉ストッパ面４６、および、蓋側開ストッパ面４７は、何れも平面状をなすが、本発明の第１のカバー部材および第２のカバー部材におけるこれらの部分は、曲面状をなしても良い。
【００７４】
また、実施例２のカバー部材におけるカバー側取付部１３および蓋側取付部４３をなくしても良い。この場合には、カバー側ストッパ部１２がカバー側取付部１３として機能し、蓋側ストッパ部４２を蓋側取付部４３として機能する。換言すると、本発明の第１のカバー部材におけるカバー側ストッパ部１２はカバー側取付部１３を兼ねても良く、蓋側ストッパ部４２は蓋側取付部４３を兼ねても良い。
【符号の説明】
【００７５】
１：カバー部                  ４：蓋部                ８：付勢手段    
１０：カバー本体部            １１：カバー箱部        １２：カバー側ストッパ部
１３：カバー側取付部          １４：カバー開口        ２０：カバー側閉ストッパ面
２２：カバー側開ストッパ面    ２３：カバー側一般面    ２９：カバー側摺接面
４０：蓋本体部                ４２：蓋側ストッパ部    ４３：蓋側取付部
４４：蓋開口                  ４６：蓋側閉ストッパ面  ４７：蓋側開ストッパ面
４８：第１蓋側一般面          ４９：第２蓋側一般面    ５０：第３蓋側一般面
５６：蓋側摺接面              ９０：ストライカ
【図１】
2010228714.tif 000003
【図２】
2010228714.tif 000004
【図３】
2010228714.tif 000005
【図４】
2010228714.tif 000006
【図５】
2010228714.tif 000007
【図６】
2010228714.tif 000008
【図７】
2010228714.tif 000009
【図８】
2010228714.tif 000010
【図９】
2010228714.tif 000011
【図１０】
2010228714.tif 000012
【図１１】
2010228714.tif 000013
【図１２】
2010228714.tif 000014
【図１３】
2010228714.tif 000015
【図１４】
2010228714.tif 000016